(57)【要約】      （修正有）【課題】商品の陳列が容易で、外気のホコリも付着しにくいショーケースを提供する。【解決手段】上面、背面、左面、右面が外部から閉塞された箱形の本体１の上部に、上下２段の棚床板を配設し、前面の横長の開口を有する商品陳列用の棚部１１、３１を形成する。各棚部１１、３１に、前面の開口を塞ぐように横に並べて複数の開閉扉１３乃至１６、３３乃至３６を配設し、各開閉扉は下端縁を棚床板１１、３１の前端部近傍に軸支し、上端縁を上下方向に回動自在に形成する。各開閉扉１３乃至１６、３３乃至３６にはガラス窓４１を設ける。また、各開閉扉１３乃至１６、３３乃至３６を開いたとき、略水平向きより下方への回動を制限する係止突起６０乃至６４、７０乃至７４を本体１に装着する。【選択図】図６
0003166931.tif 000002
【実用新案登録請求の範囲】
【請求項１】
上面、背面、左面、右面が外部から閉塞された箱形の本体と、
本体内に上下に複数段配設されて前面が横長に開口した商品陳列用の棚部を形成する複数の棚床と、
各棚部毎に、前面の開口を塞ぐように横に並べて配設された複数の開閉扉と、
を備え、
各開閉扉は下端縁を棚床の前端部近傍に軸支し、上端縁を上下方向に回動自在に形成したこと、
を特徴とするショーケース。
【請求項２】
上面、背面、左面、右面が外部から閉塞された箱形の本体と、
本体内に上下に複数段配設されて前面が横長に開口した商品陳列用の棚部を形成する複数の棚床と、
各棚部毎に、前面の開口を塞ぐように横に並べて配設された複数の開閉扉と、
隣合う開閉扉の境界の内、任意の１または複数箇所の棚床に設けられて棚部の空間を仕切る仕切板と、
を備え、
各開閉扉は下端縁を棚床の前端部近傍に軸支し、上端縁を上下方向に回動自在に形成したこと、
を特徴とするショーケース。
【請求項３】
各開閉扉に透明板の窓を設けたこと、
を特徴とする請求項１または２記載のショーケース。
【請求項４】
各開閉扉を開いたとき、略水平向きより下方への回動を制限する制限手段を設けたこと、
を特徴とする請求項１または２または３記載のショーケース。
【請求項５】
各開閉扉毎に、開閉扉を閉じたとき上端部を棚部の開口端縁近傍に着脱自在に固定する固定手段を設けたこと、
を特徴とする請求項１または２または３または４記載のショーケース。
【請求項６】
各開閉扉の上側または下側に、商品札掲示手段を配設したこと、
を特徴とする請求項１または２または３または４または５記載のショーケース。
【請求項７】
本体下部に、物品収納部を設けたこと、
を特徴とする請求項１または２または３または４または５または６記載のショーケース。
【考案の詳細な説明】
【技術分野】
【０００１】
本考案はショーケースに係り、とくに手作りパンなどのホコリが付着したり、虫が止ったり、人が手で触ったりするのを嫌う商品を陳列販売するのに用いて好適なショーケースに関する。
【背景技術】
【０００２】
従来からパンの販売店では、オープン形のショーケースを用いて、種類別にパンをトレイに載せて陳列しておき、顧客が空きのトレイを持ち、商品挟みにより所望の種類のパンを取りながらトレイに載せていき、最後にレジにて店員により袋詰めと会計を行なってもらうようにしている。オープン式のショーケースとしてはたとえば、棚床をメッシュ状にした実用新案登録第３０８９４６８号の商品陳列用網棚がある。
【０００３】
ところで、オープン形のショーケースは店員が商品を陳列したり、顧客が商品を選んだり、取ったりするのに便利であるが、未包装の手作りパンを陳列販売するとき、外気に開放されているためホコリが付いたり、虫が止ったり、子供が手で触れたりして衛生面での問題が生じやすい。
【先行技術文献】
【特許文献】
【０００４】
【特許文献１】実用新案登録第３０８９４６８号公報
【考案の概要】
【考案が解決しようとする課題】
【０００５】
本考案は上記した従来技術の問題に鑑み、ホコリの付着などの衛生上の問題が生じにくいショーケースを提供することを、その目的とする。
【課題を解決するための手段】
【０００６】
本考案は、上面、背面、左面、右面が外部から閉塞された箱形の本体と、本体内に上下に複数段配設されて前面が横長に開口した商品陳列用の棚部を形成する複数の棚床と、各棚部毎に、前面の開口を塞ぐように横に並べて配設された複数の開閉扉と、を備え、各開閉扉は下端縁を棚床の前端部近傍に軸支し、上端縁を上下方向に回動自在に形成したこと、を特徴としている。
また、他の考案では、隣合う開閉扉の境界の内、任意の１または複数箇所の棚床に設けられて棚部の空間を仕切る仕切板を有すること、を特徴としている。
また、更に他の考案では、各開閉扉に透明板の窓を設けたこと、を特徴としている。
また、他の考案では、各開閉扉を開いたとき、略水平向きより下方への回動を制限する制限手段を設けたこと、を特徴としている。
また、他の考案では、各開閉扉毎に、開閉扉を閉じたとき上端部を棚部の開口端縁近傍に着脱自在に固定する固定手段を設けたこと、を特徴としている。
また、他の考案では、各開閉扉の上側または下側に、商品札掲示手段を配設したこと、を特徴としている。
また、他の考案では、本体下部に、物品収納部を設けたこと、を特徴としている。
【考案の効果】
【０００７】
本考案によれば、販売時、全ての開閉扉を閉状態にしておき、顧客が或る陳列商品を取り出したい場合、その所望商品の前にある１つの開閉扉だけ開けて取り出し、すぐに閉めることにより、ケース内部に外気のホコリや、虫が侵入するのを最小限に抑えたり、子供が商品に手で触れるのを防止することができる。
また、棚部の空間を仕切る仕切板を設けない場合、横に並ぶ開閉扉を全て開くことで、１段分の棚部の前面を広く開放することができ、商品の陳列を容易に行なうことができる。
また、他の考案によれば、開けた開閉扉が略水平向きの姿勢に支持されるので、商品を取り出す際、開閉扉が台となって商品の落下を防止できる。
【図面の簡単な説明】
【０００８】
【図１】本考案の一実施例に係るショーケースの一部破断した外観斜視図である。（実施例１）
【図２】図１のショーケースの左側面図である。
【図３】図１のショーケースのＩＩＩ−ＩＩＩ´線に沿った縦断面図である。
【図４】図１のショーケースの一部省略した外観斜視図である。
【図５】図１のショーケースの使用方法の説明図である。
【図６】図１のショーケースの使用方法の説明図である。
【図７】図１のショーケースの変形例に係る一部省略した外観斜視図である。
【考案を実施するための形態】
【０００９】
以下、考案を実施するための形態を実施例に基づき説明する。
【実施例１】
【００１０】
図１は本考案の一つの実施例に係る木製のクローズ形のショーケースを示す一部破断した外観斜視図、図２は図１の左側面図、図３は図１のＩＩＩ−ＩＩＩ´線に沿った縦断面図、図４は図１の一部省略した外観斜視図である。
これらの図において、１は箱形の本体であり、上面、背面、左面、右面、下面が各々上面板２、背面板３、左面板４、右面板５、下面板６により外部から閉塞されている。本体１の上部には、上下２段に配設された２枚の棚床板１０、３０により、前面が横長に開口した商品陳列用の２段の棚部１１、３１が形成されている。各棚部１１、３１の開口１２、３２（図４参照）には、各々、４つの方形の開閉扉１３乃至１６、３３乃至３６が横に並べて配設されている。開閉扉１３は、方形の枠４０に透明なガラス窓４１が嵌め込まれて成り、下端縁が棚床板１０の前端部近傍に左右１組の蝶番４２、４２（図３、図５参照）により軸支されることで、上端縁を上下に回動自在になっている。開閉扉１３を閉じるときは上に回動し、閉じるときは下に回動する。枠４０の上辺の前面中央には丸形の取っ手４３が取着されている。他の開閉扉１４乃至１６、３３乃至３６も開閉扉１３と全く同様に形成されている。
【００１１】
本体１の前面には、図４に示す如く上面板２の前端から下側、棚床板１０、３０の各々前端から下側に、左面板４から右面板５まで渡した横長の帯板５０、５１、５２が配設されており、この帯板５０、５１、５２の前面で、閉じた状態の開閉扉１３乃至１６の上側と下側、開閉扉３３乃至３６の下側に、断面が略Ｌ字状に形成された横長の商品札掲示手段としての商品札掲示板５３、５４、５５が設けられている。開閉扉１３乃至１６の下側の商品札掲示板５４には、開閉扉１３乃至１６を開いたとき、略水平向きより下方への回動を制限する制限手段としての係止突起６０乃至６４が固着されている。開閉扉１３を開いたとき枠４０の左右が係止突起６０、６１に当接して係止されることにより、略水平向きに支持される。開閉扉１４は枠４０の左右が係止突起６１、６２に当接して係止されることにより、略水平向きに支持される。開閉扉１５は枠４０の左右が係止突起６２、６３に当接して係止されることにより、略水平向きに支持される。開閉扉１６は枠４０の左右が係止突起６３、６４に当接して係止されることにより、略水平向きに支持される。
【００１２】
開閉扉３３乃至３６の下側の商品札掲示板５５には、開閉扉３３乃至３６を開いたとき、略水平向きより下方への回動を制限する制限手段としての係止突起７０乃至７４が固着されている。開閉扉３３は開いたとき枠４０の左右が係止突起７０、７１に当接して係止されることにより、略水平向きに支持される。開閉扉３４は枠４０の左右が係止突起７１、７２に当接して係止されることにより、略水平向きに支持される。開閉扉３５は枠４０の左右が係止突起７２、７３に当接して係止されることにより、略水平向きに支持される。開閉扉３６は枠４０の左右が係止突起７３、７４に当接して係止されることにより、略水平向きに支持される。
５６は商品名と値段を表示した商品札であり、開閉扉１３乃至１６に対応する商品札５６が商品札掲示板５４に載置されており、開閉扉３３乃至３６に対応する商品札５６が商品札掲示板５５に載置されている。
【００１３】
開閉扉１３乃至１６は閉じたとき、枠４０の上辺の背面が帯板５０の前面の下部（棚部１１の開口１２の端縁近傍）に当接するようになっている。各開閉扉１３乃至１６の枠４０の上辺の背面の中央に磁石８０が埋設されており、帯板５０の内、各開閉扉１３乃至１６を閉じたときの磁石８０に対向する個所に鉄片８１が埋設されている。これにより、各開閉扉１３乃至１６を閉じたとき、磁力により、開閉扉１３乃至１６を閉じた状態で着脱自在に固定可能になっている。
同様に開閉扉３３乃至３６は閉じたとき、枠４０の上辺の背面が帯板５１の前面の下部（棚部３１の開口３２の端縁近傍）に当接するようになっている。各開閉扉３３乃至３６の枠４０の上辺の背面の中央に磁石８０が埋設されており、帯板５１の内、各開閉扉３３乃至３６を閉じたときの磁石８０に対向する個所に鉄片８１が埋設されている。これにより、各開閉扉３３乃至３６を閉じたとき、磁力により、開閉扉３３乃至３６を閉じた状態で着脱自在に固定可能になっている。なお、磁石８０と鉄片８１を逆にし、開閉扉１３乃至１６、３３乃至３６の側に鉄片８１を取り付け、帯板５０、５１の側に磁石８０を取り付けるようにしても良い。
【００１４】
左面板４、右面板５には、棚部１１と３１に対応する個所にガラス窓９０、９１が嵌め込まれている。本体１の下半部には、左側物品収納部１００、右側物品収納部１１０が設けられており、各々、一対の観音開き戸１０１、１０２、１１１、１１２を開閉して任意の物品を収納したり、取り出したりできるようになっている。左側物品収納部１００と右側物品収納部１１０の間は仕切板１２０（図４参照）により仕切られている。観音開き戸１０１と１１２は各々図示しない蝶番により左面板４と右面板５に軸支されており、観音開き戸１０２と１１１は各々蝶番（図３の符号１２１参照）により仕切板１２０に軸支されている。
【００１５】
図５、図６は手作りパン屋でのクローズ形のショーケースの使用方法の説明図である。
（１）商品の陳列（図５参照）
営業開始前において、例えば２段目の棚部３１に４種類の手作りパンを陳列したい場合、各開閉扉３３乃至３６の取っ手４３を持って全て開ける。各開閉扉３３乃至３６は係止突起６０乃至６４に当接して略水平に支持され、棚部３１が広く開放される。これにより、種類毎にトレイ１３０、１３１、・・に載せた手作りパン１４０、１４１、・・を迅速かつ円滑に棚床板３０の上に配置して陳列することができる。棚部１１にも全く同様にして他の種類の手作りパンを陳列することができる。
【００１６】
（２）商品の販売（図６参照）
棚部１１、３１に多種類の手作りパンを陳列後、各開閉扉１３乃至１６、３３乃至３６を全て閉めておく。この際、磁石８０が鉄片８１に磁着して固定されるので、開閉扉１３乃至１６、３３乃至３６が不用意に開くことはない。全ての開閉扉１３乃至１６、３３乃至３６を閉状態とすることで、ショーケース内を外気から遮断し、ホコリや虫が侵入するのを防止したり、子供が手作りパンを手で触わるのを防止できる。また、手作りパンの乾燥の進行も抑えることができる。
営業中、顧客は開閉扉１３乃至１６、３３乃至３６のガラス窓４１及び左面板４、右面板５のガラス窓９０、９１を通して陳列された全ての種類の手作りパンを見比べながら、所望の商品を選ぶことができる。そして、例えば、２段目の左端の種類の手作りパン１４０を購入したいとき、前の開閉扉３３の取っ手４３を持って手前に開ける。略水平にし、係止突起７０、７１に当たったところで取っ手４３を離すと開閉扉３３は係止突起７０、７１により、略水平に支持される。
【００１７】
商品挟みにより手作りパン１４０を取り出し客用のトレイに載せる。この際、開閉扉３３が台の役目をするので、手作りパン１４０を誤って床に落とすことはない。取り出した後、開閉扉３３を閉めておく。この際、磁石８０が鉄片８１に磁着して固定される。このように、１つの開閉扉３３だけ開け閉めして所望の１種類の手作りパンを取り出せるので、外部からショーケース内へのホコリや虫の侵入、手作りパンの乾燥の進行を最小限に抑えることができる。他の所望の種類の手作りパンも全く同様にして取り出すことができる。
【００１８】
（３）商品の補充
店員が２段目の左から２つ目の種類の手作りパン１４１を補充したいとき、前の開閉扉３４の取っ手４３を持って手前に開ける。開閉扉３４は係止突起７１、７２により、略水平に支持される。トレイ１３１を取り出し、開閉扉３４の上に載せ、新たな手作りパン１４１をトレイ１３１に補充し、再び棚床板３０に戻し、開閉扉３４を閉める。このように、１つの開閉扉３４だけ開け閉めして所望の１種類の手作りパンを補充できるので、外部からショーケース内へのホコリや虫の侵入、手作りパンの乾燥の進行を最小限に抑えることができる。また、開いた開閉扉３４をトレイ１３１を引き出す台に使えるので、補充作業を容易に行なえる。
【００１９】
（４）商品の回収
営業後、例えば、２段目の棚部３１に残った手作りパン１４０、１４１、・・を回収したい場合、各開閉扉３３乃至３６の取っ手４３を持って全て開ける。各開閉扉３３乃至３６は係止突起７０乃至７４に当接して略水平に支持され、棚部３１が広く開放される。これにより、トレイ１３０、１３１、・・とともに残った手作りパン１４０、１４１、・・を迅速かつ円滑に回収することができる。棚部１１に残った手作りパンも全く同様にして迅速かつ円滑に回収することができる。
【００２０】
（５）なお、本体１の下部の左側物品収納部１００または右側物品収納部１１０に任意の所望物品を収納したい場合、観音開き戸１０１、１０２または１１１、１１２を開閉して収納することができる（図５の二点鎖線参照）。
【００２１】
この実施例によれば、横に並ぶ開閉扉１３乃至１６または３３乃至３６を全て開くことで、１段分の棚部１１または３１の前面を広く開放することができ、商品の陳列や回収を迅速かつ円滑に行なうことができる。
また、販売時、全ての開閉扉１３乃至１６、３３乃至３６を閉じておき、顧客が或る陳列商品を取り出したい場合、その所望の種類の陳列商品の前にある１つの開閉扉だけ開けて取り出し、すぐに閉めることにより、ショーケース内部に外気のホコリや虫が侵入するのを最小限に抑えることができる。また、子供が手作りパンを手で触わるのを防止したり、手作りパンの乾燥の進行を抑えることもできる。
また、開けた開閉扉１３乃至１６、３３乃至３６が略水平向きの姿勢に支持されるので、顧客が所望の陳列商品を取り出す際、各開閉扉１３乃至１６、３３乃至３６が台となって商品の落下を防止でき、店員が商品を補充する際、商品を載せるトレイを棚部１１、３１から開状態とした各開閉扉１３乃至１６、３３乃至３６の上まで引き出すことができるので、作業が容易となる。
また、開閉扉１３乃至１６、３３乃至３６にガラス窓４１を設けたので、顧客は開閉扉１３乃至１６、３３乃至３６を開けなくても実際の陳列商品を目で確かめながら所望の商品を選ぶことができる。
また、開閉扉１３乃至１６、３３乃至３６を閉じたとき、磁力により固定されるようにしたので、不用意に開いて外部からホコリや虫が侵入したり、手作りパンの乾燥が進行したりするのを防止できる。
【００２２】
なお、上記した実施例では、開いた開閉扉を略水平に支持するための係止突起を商品札掲示板に設けたが、開閉扉の枠に設けるようにしても良い。
また、閉じた開閉扉の固定を磁石を用いて行なう構成としたが、他の種類の嵌着部材や面ファスナー等を用いても良い。
また、棚部を２段としたが、１段或いは３段以上としても良い。
また、本体の下部に物品収納部を設けたがこれを省略し、下部も棚部としても良い。
【００２３】
また、上記した実施例では、棚部に仕切板を設けない場合について説明したが、図７の棚部１１Ａや３１Ａの如く、隣合う開閉扉の境界の内、任意の１または複数箇所の位置に当たる棚床板１０、３０の上に透明な仕切板１５０（開閉扉１４と１５の境界位置に相当）、１６０（開閉扉３３と３４の境界位置に相当）、１６１（開閉扉３４と３５の境界位置に相当）、１６２（開閉扉３５と３６の境界位置に相当）を設け、仕切板で仕切られた空間から離れた開閉扉が開かれたときに外気が回り込むのを防止して、開閉扉の開閉頻度の少ない個所の商品が外気に触れないようにして、ホコリが付いたり、虫が止ったり、手作りパンの乾燥が進行したりするのを極力防止するようにしても良い。
【産業上の利用可能性】
【００２４】
本考案は、手作りパン、手作りケーキなどの未包装の食品を初めとしてホコリが付いたり、虫が止ったり、客が手で触ったりするのを嫌う商品を陳列販売するショーケースに利用できる。
【符号の説明】
【００２５】
１  本体
１０、３０  棚床板
１１、３１  棚部
１２、３２  開口
１３乃至１６、３３乃至３６  開閉扉
４０  枠
４１、９０、９１  ガラス窓
４３  取っ手
５０、５１、５２  帯板
５３、５４、５５  商品札掲示板
５６  商品札
６０乃至６４、７０乃至７４  係止突起
８０  磁石
８１  鉄片
１００  左側物品収納部
１１０  右側物品収納部
１０１、１０２、１１１、１１２  観音開き戸
１３０、１３１、・・  トレイ
１４０、１４１、・・  手作りパン
１５０、１６０、１６１、１６２  仕切板
【図１】
0003166931.tif 000003
【図２】
0003166931.tif 000004
【図３】
0003166931.tif 000005
【図４】
0003166931.tif 000006
【図５】
0003166931.tif 000007
【図６】
0003166931.tif 000008
【図７】
0003166931.tif 000009